(57)【要約】【課題】  患者を管理・識別する従来のリストバンドの用途に加えて、外来患者や入院患者関係者を、病院内の診療室や検査室等の受診設備へ的確に誘導したり、辿り着いた診療室や検査室等が正しい受診設備であるか否かを検証したりする用途に活用できるリストバンド、リストバンド作成装置、リストバンド作成装置の制御方法、リストバンド作成装置の制御プログラム及びリストバンド案内システムを提供する。【解決手段】  リストバンド３０ａの受診設備表示部９２には、第１検査情報９２ａ、第２検査情報９２ｂ及び第３検査情報９２ｃが表示され、それぞれの表示内容は、文字情報として、表示領域の上段に患者が受ける検査内容、表示領域の下段に当該検査が実施される検査室の名称を示している。また、それぞれの表示領域は、表示領域の下段に表示された検査室を特定する色で地色が色分けされた受診設備識別マークとなっている。【選択図】      図２
2007056406.tif 000002
【特許請求の範囲】
【請求項１】
患者あるいは、受診者の少なくとも名前もしくは当人にユニークなコード、及び血液型を含む個人医療情報を表示するため文字又はコードを印刷した医療情報表示部と、
病院等の医療施設の診療科、病棟、検査室等のそれぞれの設備に割り当てられ、その設備を識別可能に表示する表示用の媒体に、または当該設備へ誘導する案内用の媒体に用いられている異なる色及び／又は模様との内、患者あるいは、受診者が受診もしくは入院する設備に割り当てられたものと実質的に同一の色及び／又は模様を印刷した受診設備表示部と、を備えることを特徴とするリストバンド。
【請求項２】
前記医療施設の診療科、病棟、検査室等の設備に関するデータが記憶されるＩＣタグをさらに備えることを特徴とする請求項１に記載のリストバンド。
【請求項３】
患者あるいは、受診者の少なくとも名前もしくは当人にユニークなコード、及び血液型を含む個人医療情報を取得する医療情報取得部と、
前記医療情報取得部によって取得された前記個人医療情報に基づいた個人医療情報表示データを生成する医療情報表示データ生成部と、
病院等の医療施設の診療科、病棟、検査室等のそれぞれの設備に割り当てられ、その設備を識別可能に表示する表示用の媒体に、または当該設備へ誘導する案内用の媒体に用いられている異なる色及び／又は模様を前記それぞれの設備と関連付けて記憶する設備対応情報記憶部と、
前記患者あるいは、受診者に対して指定された診療科、病棟、検査室等の受診設備に関する受診設備情報を取得する受診設備情報取得部と、
前記受診設備情報取得部によって取得された前記受診設備情報に基づいて、前記受診設備に関連付けられた色及び／又は模様と実質的に同一な識別マークを含む受診設備表示データを生成する受診設備表示データ生成部と、
前記個人医療情報表示データ及び前記受診設備表示データに基づいた情報を印刷する印刷装置と、を備えることを特徴とするリストバンド作成装置。
【請求項４】
前記医療情報取得部は、カルテあるいは、受診受付表に付された１次元コード又は２次元コードを読取り可能なコード読取装置を備え、
前記医療情報取得部によって取得される前記個人医療情報及び前記受診設備情報取得部によって取得される前記受診設備情報のうち、少なくとも一方の情報を前記コード読取装置によって読み取られたコード情報に基づいて取得することを特徴とする請求項３に記載のリストバンド作成装置。
【請求項５】
前記医療情報取得部は、患者あるいは、受診者を特定する個人特定情報に基づいて、医療情報データベースにアクセスし、特定された患者あるいは、受診者の前記個人医療情報を取得することを特徴とする請求項３又は４に記載のリストバンド作成装置。
【請求項６】
前記リストバンドに備えられた前記ＩＣタグに前記受診設備に関するデータを記憶させるデータ書込部をさらに備えることを特徴とする請求項３から５のいずれか一項に記載のリストバンド作成装置。
【請求項７】
患者あるいは、受診者の個人医療情報を取得する医療情報取得工程と、
前記医療情報取得工程によって取得された前記個人医療情報に基づいた個人医療情報表示データを生成する工程と、
前記患者あるいは、受診者に対して指定された病院等の医療施設の診療科、病棟、検査室等の設備に関する受診設備情報を取得する受診設備情報取得工程と、
前記受診設備情報取得工程によって取得された前記受診設備情報に基づいて、色及び／又は模様を用いて前記受診設備を特定可能にする識別マークを示すデータを含む受診設備表示データを生成する工程と、
前記個人医療情報表示データ及び前記受診設備表示データに基づいた情報を印刷する工程と、を備えることを特徴とするリストバンド作成装置の制御方法。
【請求項８】
請求項７に記載の制御方法の各工程をコンピュータに実行させるリストバンド作成装置の制御プログラム。
【請求項９】
請求項２に記載の受診設備に関するデータが記憶されるＩＣタグを備えるリストバンドと、
前記受診設備へ誘導するための医療施設案内装置及び前記受診設備となる場所に設けられる場所識別装置のうち少なくとも１つと、を備え、
前記医療施設案内装置は、前記ＩＣタグとの通信によって前記ＩＣタグから取得した前記受診設備に関するデータに基づいて、前記受診設備へ誘導するための案内情報を報知し、
前記場所識別装置は、前記ＩＣタグとの通信によって前記ＩＣタグから取得した前記受診設備に関するデータに基づいて、前記受診設備と一致するか否かを判断するための判断情報を報知することを特徴とするリストバンド案内システム。
【請求項１０】
請求項９に記載のリストバンド案内システムにおいて、
前記リストバンドは、前記医療施設案内装置と前記場所識別装置とからの情報を表示する表示部を有することを特徴とするリストバンド案内システム。
【発明の詳細な説明】
【技術分野】
【０００１】
本発明は、医療機関における診療、治療、看護における医療過誤、医療事故を防止するためのリストバンド、リストバンド作成装置、リストバンド作成装置の制御方法、リストバンド作成装置の制御プログラム及びリストバンド案内システムに関する。
【背景技術】
【０００２】
近時、患者の取り違えや輸血ミス等による医療事故または医療過誤事件が多発しており、これらの医療事故または医療過誤を防ぐため、医療管理システムの改革が検討されている。そのような管理システムの一つとして、リストバンドを患者に着けて管理する医療管理システムが採用されている。
例えば、特許文献１に記載されるリストバンドにおいては、リストバンドに患者の名前、血液型及びバーコード等の所定事項が印刷されている。医師や看護士等は、患者に着けられているリストバンドを確認することによって、患者や患者の血液型等を間違えることのないようにしてある。
【０００３】
【特許文献１】特開２００３−１９３３０８号公報
【発明の開示】
【発明が解決しようとする課題】
【０００４】
しかし、特許文献１に記載されるリストバンドは、医師や看護士等が、患者を別の患者と取り違えたり、患者の血液型等を間違えたりしないように、患者を管理・識別する目的にのみ用いられ、その他の用途には用いられていない。
ところで、外来患者や入院患者等に対して、病院の総合窓口の担当者や看護士等により、これから診療や検査を受ける診療室や検査室等の設備が指定されることがある。特に、規模の大きい病院の場合、設備の数が多いため、目的とする設備への経路が分かりにくくスムーズに辿り着けないとか、間違った診療室や検査室等に辿り着いてしまうとかの課題がある。
【０００５】
本発明は上記課題に鑑みてなされたものであり、患者を管理・識別する従来のリストバンドの用途に加えて、外来患者や入院患者等を、病院内の診療室や検査室等の受診設備へ的確に誘導したり、あるいは辿り着いた診療室や検査室等が目的とする設備であるか否かを検証したりする用途に活用できるリストバンド、リストバンド作成装置、リストバンド作成装置の制御方法、リストバンド作成装置の制御プログラム及びリストバンド案内システムを提供することを目的とする。
【課題を解決するための手段】
【０００６】
本発明は、リストバンドが有する患者あるいは、受診者（以下、受診者を含めて患者と称す）の個人医療情報に加えて、患者に対して指定された受診設備に関する情報をリストバンドに付加することにより、患者を管理・識別する従来の用途以外に、リストバンドを有効活用することが可能であり、上記課題を解決する。
【０００７】
本発明の第１の態様にかかるリストバンドは、患者の少なくとも名前もしくは当人にユニークなコード、及び血液型を含む個人医療情報を表示するため文字又はコードを印刷した医療情報表示部と、病院等の医療施設の診療科、病棟、検査室等のそれぞれの設備に割り当てられ、その設備を識別可能に表示する表示用の媒体（以下、場所識別媒体と称す）に、または当該設備へ誘導する案内用の媒体（以下、誘導媒体と称す）に用いられている異なる色及び／又は模様との内、患者が受診もしくは入院する設備に割り当てられたものと実質的に同一の色及び／又は模様を印刷した受診設備表示部と、を備えることを特徴とする。
この態様のリストバンドを用いることにより、医師や看護士等は、リストバンドの医療情報表示部に表示された患者の名前、名前コード、及び血液型等の個人医療情報を元に、患者を別の患者と取り違えたり、患者の血液型等を間違えたりしないように患者を管理・識別することができる。
さらに、患者や付添い人等（以下、患者関係者と称す）は、受診設備表示部に表示されている色や模様と場所識別媒体に表示されている色や模様とが一致しているか否かを確認することにより、目的とする設備であるか否かを検証できる。例えば、診療室や検査室に、場所識別媒体として室名札が設置されている場合、患者関係者は、リストバンドの受診設備表示部に表示されている色や模様と、室名札に表示されている色や模様とが一致しているか否かを確認することにより、自分がこれから診療や検査を受ける設備であるか否かを検証できる。
また、患者関係者は、リストバンドの受診設備表示部に表示されている色や模様と一致する色や模様の誘導媒体に従って進むことにより、迷うことなく目的とする設備に辿り着くことができる。例えば、設備への誘導媒体として通路の床や壁に誘導テープが貼られている場合、患者関係者は、リストバンドの受診設備表示部に表示されている色や模様と一致する色や模様の誘導テープに従って進むだけで、的確に目的とする設備へと誘導される。
【０００８】
本発明の他の態様にかかるリストバンドは、医療施設の診療科、病棟、検査室等の設備に関するデータが記憶されるＩＣタグをさらに備えることを特徴とする。
この態様では、リストバンドに備えられたＩＣタグに、医療施設の設備に関する情報をデータとして記憶させることができる。そして、ＩＣタグに記憶された設備に関する情報となるデータを利用することにより、患者関係者が辿り着いた設備が目的とする設備であるか否かを検証したり、患者関係者を目的とする設備へ案内したりする処理が可能になる。
【０００９】
本発明の第１の態様にかかるリストバンド作成装置は、患者の少なくとも名前もしくは当人にユニークなコード、及び血液型を含む個人医療情報を取得する医療情報取得部と、医療情報取得部によって取得された個人医療情報に基づいた個人医療情報表示データを生成する医療情報表示データ生成部と、病院等の医療施設の診療科、病棟、検査室等のそれぞれの設備に割り当てられ、場所識別媒体に、または誘導媒体に用いられている異なる色及び／又は模様を前記それぞれの設備と関連付けて記憶する設備対応情報記憶部と、患者に対して指定された診療科、病棟、検査室等の受診設備に関する受診設備情報を取得する受診設備情報取得部と、受診設備情報取得部によって取得された受診設備情報に基づいて、受診設備に関連付けられた色及び／又は模様と実質的に同一な識別マークを含む受診設備表示データを生成する受診設備表示データ生成部と、個人医療情報表示データ及び受診設備表示データに基づいた情報を印刷する印刷装置と、を備えることを特徴とする。
この態様のリストバンド作成装置を用いることにより、リストバンドに、患者の個人医療情報に加えて、受診設備に関連付けられた色や模様の識別マークが印刷されたリストバンドを作成することができる。
【００１０】
本発明の他の態様にかかるリストバンド作成装置は、医療情報取得部が、カルテあるいは、受診受付表に付された１次元コード（バーコード）又は２次元コードを読取り可能なコード読取装置を備え、医療情報取得部によって取得される個人医療情報及び受診設備情報取得部によって取得される受診設備情報のうち、少なくとも一方の情報をコード読取装置によって読み取られたコード情報に基づいて取得することを特徴とする。
この態様では、カルテや受診受付表等に所定の患者識別コードや患者の受診設備となる診療室や検査室等のコードが表示されている場合、機械読取操作だけで、リストバンド作成のための個人医療情報や受診設備情報を入力可能となり、人為的な入力ミスの防止につながる。
【００１１】
本発明の他の態様にかかるリストバンド作成装置は、医療情報取得部が、患者を特定する個人特定情報に基づいて、医療情報データベースにアクセスし、特定された患者の個人医療情報を取得することを特徴とする。
この態様では、リストバンド作成の際に入力される個人医療情報が、既に登録されている個人医療情報を最大限利用し、マニュアル入力を極力抑制することが可能となる。これにより、より正確に個人医療情報を入力することができ、リストバンド作成時の入力ミスによる医療事故を防止することが可能である。また、個人医療情報の入力処理が簡単になり、リストバンド作成が簡単になる。
【００１２】
本発明の他の態様にかかるリストバンド作成装置は、リストバンドに備えられたＩＣタグに受診設備に関するデータを記憶させるデータ書込部をさらに備えることを特徴とする。
この態様では、リストバンドに備えられたＩＣタグに、患者の受診設備情報がデータ書込み部によって電子データの形式で記録されたリストバンドを作成することができる。
【００１３】
本発明の第１の態様にかかるリストバンド作成装置の制御方法は、患者の個人医療情報を取得する医療情報取得工程と、医療情報取得工程によって取得された個人医療情報に基づいた個人医療情報表示データを生成する工程と、患者に対して指定された病院等の医療施設の診療科、病棟、検査室等の設備に関する受診設備情報を取得する受診設備情報取得工程と、受診設備情報取得工程によって取得された受診設備情報に基づいて、色及び／又は模様を用いて受診設備を特定可能にする識別マークを示すデータを含む受診設備表示データを生成する工程と、個人医療情報表示データ及び受診設備表示データに基づいた情報を印刷する工程と、を備えることを特徴とする。
【００１４】
本発明の第１の態様にかかるリストバンド作成装置の制御プログラムは、上述の態様に記載のリストバンド作成装置の制御方法の各工程をコンピュータに実行させるプログラムからなることを特徴とする。
コンピュータは、ＣＰＵ、論理回路、メモリ、及び各種制御プログラム等からなり、本プログラムを読み込むことにより、上記リストバンド作成装置の制御方法の各工程を実行する。
【００１５】
本発明の第１の態様にかかるリストバンド案内システムは、上述の態様に記載の受診設備に関するデータが記憶されるＩＣタグを備えるリストバンドと、受診設備へ誘導するための医療施設案内装置及び受診設備となる場所に設けられる場所識別装置のうち少なくとも１つと、を備え、医療施設案内装置は、ＩＣタグとの通信によってＩＣタグから取得した受診設備に関するデータに基づいて、受診設備へ誘導するための案内情報を報知し、場所識別装置は、ＩＣタグとの通信によってＩＣタグから取得した受診設備に関するデータに基づいて、受診設備と一致するか否かを判断するための判断情報を報知することを特徴とする。
この態様のリストバンド案内システムを用いることにより、患者関係者は、リストバンドを利用して、設置された医療施設案内装置に、目的とする設備への案内情報を報知させたり、設置された場所識別装置に、目的とする設備か否かの判断情報を報知させたりできる。例えば、医療施設の通路に設置された医療施設案内装置に、これから受診する設備への経路を案内情報として表示させたり、診療室の入口に設置された場所識別装置に、目的とする診療室であるか否かのチェックをさせて結果を表示させたりできる。
【００１６】
本発明の他の態様にかかるリストバンド案内システムは、上述の態様に記載のリストバンド案内システムにおいて、リストバンドに医療施設案内装置と場所識別装置からの情報を表示する表示部を有することを特徴とする。
この態様のリストバンド案内システムを用いることにより、患者関係者は、設置された医療施設案内装置を利用して、リストバンドに備えられた表示部に、目的とする設備への案内情報を報知させることができる。また、設置された場所識別装置を利用して、リストバンドに備えられた表示部に、目的とする設備か否かの判断情報を報知させることができる。例えば、リストバンドに表示部としてディスプレイを備えることにより、医療施設の通路に設置された医療施設案内装置を利用して、このディスプレイに、これから受診する設備への経路を案内情報として表示させることができる。また、診療室の入口に設置された場所識別装置を利用して、目的とする診療室であるか否かのチェックをさせ、このディスプレイに結果を表示させたりできる。
【発明を実施するための最良の形態】
【００１７】
（第１の実施形態）
（リストバンド作成装置）
図面を用いて本発明の第１の実施形態にかかるリストバンド作成装置を説明する。なお、本実施形態では、医療施設の一例として病院を用いて説明する。まず図１に、本発明にかかるリストバンド作成装置の一実施形態にかかる機能ブロック図を示す。リストバンド作成装置１０は、キーボード又はタッチプレート等の入力装置１１、１次元コードとしてのバーコード又は２次元コード等を読み取るスキャナ等とコード読取制御装置１２とから構成されるコード読取装置、ディスプレイ等の表示装置１３、医療情報データベース１４、リストバンド作成制御装置２０及びカラー印刷可能な印刷装置１５を備えている。ここで、医療情報データベース１４が、他の病院や薬局、検査センターなどとネットワークを介して接続されることにより、他の病院等から医療情報等を取得することが可能である。また、医療情報データベース１４を構成としないで、入力装置１１やコード読取装置により必要な情報の取得をすべて行うことも可能である。
【００１８】
リストバンド作成制御装置２０は、ＣＰＵ、ＲＯＭ、ＲＡＭ及び制御プログラムからなり、所定の制御プログラムに従ってデータ処理可能であればよい。従って、ＰＣ等の汎用のコンピュータ及びＯＳに専用の処理制御ソフトウェアをインストールして、使用することも可能である。
リストバンド作成制御装置２０の主な機能は、患者あるいは、受診者個人（以下、受診者を含めて患者と称す）についての名前やユニークなコードである名前コード等で構成される個人情報と、患者の血液型等で構成される医療情報と、患者に指定された診療科、病棟及び検査室等の受診設備に関する情報との入力を受け付け、これらの入力データに基づいて、リストバンド３０に、個人情報及び医療情報（以下、個人医療情報と称す）と、色や模様によって受診設備を識別した受診設備情報とを、印刷装置１５によって、所定の形式で印刷させるよう制御する。
【００１９】
リストバンド作成制御装置２０は、データ制御部２１、管理情報設定部２２、医療情報取得部２３、受診設備情報取得部２４、通信制御部２５、設備対応情報記憶部としての管理情報記憶部２６、及び印刷データ生成部２７を備えている。
【００２０】
データ制御部２１は、リストバンド作成制御装置２０の全体の動作を制御する。
管理情報設定部２２は、リストバンド３０に印刷する項目の設定及び受診設備と色・模様との対応設定等を行う。管理情報設定部２２において設定された設定情報は、管理情報記憶部２６に記憶される。記憶された設定情報は、印刷データ生成部２７において印刷データを生成する際に参照される。これらの設定は、所定の権限者のみの権限とし、権限認証手段を設けることも可能である。
【００２１】
医療情報取得部２３は、入力装置１１、コード読取装置等から入力された患者の情報や医療情報データベース１４に記憶された患者の情報から、リストバンド３０を作成するために必要な個人医療情報を取得する。受診設備情報取得部２４は、入力装置１１、コード読取装置等から入力された患者の受診設備に関する情報や医療情報取得部２３において取得された個人医療情報から、リストバンド３０を作成する対象となる患者の受診設備情報を取得する。
印刷データ生成部２７は、医療情報取得部２３において取得された個人医療情報及び受診設備情報取得部２４において取得された受診設備情報に基づいて、リストバンド３０に印刷する所定の印刷データを生成する。
通信制御部２５は、医療情報データベース１４とデータ通信を行う。
【００２２】
（リストバンドの例示）
図２及び図３に、本発明にかかるリストバンドの２つの例を示す。なお、ここに示したリストバンドにおいては、受診設備を色を用いて特定しているが、模様を用いて受診設備を特定したり、色及び模様の両方を用いて受診設備を特定したりしても良い。また、リストバンドに表示される項目の種類・内容、配置、色及び模様等はこれらの例に限定されるものではなく、各病院の環境等の実情に応じて自由に設定することができる。
【００２３】
（リストバンドの例示１）
図２に、本発明にかかるリストバンドの１つの例を示す。図２に示すリストバンド３０ａの例は、入院患者が検査前又は受診前（検査室又は診療室へ移動する前）に、看護士等から受け取るリストバンドの１つの例である。
【００２４】
リストバンド３０ａに情報が表示される領域は、大きく分けて、患者の個人医療情報が表示される医療情報表示部９１と、患者の受診設備情報が表示される受診設備表示部９２とに分かれる。ここでは、医療情報表示部９１を、リストバンド３０ａの幅が広い領域の部分に設けて、受診設備表示部９２を、リストバンド３０ａの幅が狭い領域であるベルト部分に設けている。
【００２５】
リストバンド３０ａの例では、医療情報表示部９１に、文字・記号情報として氏名、生年月日等の属性情報４１、ＡＢＯ血液型４２、Ｒｈ式血液型４５及び患者識別番号４３等が表示されている。ＡＢＯ血液型は、血液型をカラー識別したカラー表示情報４４としても表示され、Ｒｈ式血液型４５等の表示もカラー表示するようにしてもよい。また、コード情報として、２次元コード４７及びバーコード４８の双方が表示されているが、いずれか一方を表示するようにしても、いずれも表示しないように構成してもよい。
【００２６】
医師や看護師等は、患者が身に付けたリストバンド３０ａの医療情報表示部９１の内容を確認することにより、患者を別の患者と取り違えたり、患者の血液型を別の血液型と間違えたりしないようにする効果がある。
【００２７】
リストバンド３０ａの受診設備表示部９２には、第１検査情報９２ａ、第２検査情報９２ｂ及び第３検査情報９２ｃが表示され、それぞれの表示内容は、文字情報として、表示領域の上段に患者が受ける検査内容、表示領域の下段に当該検査が実施される検査室の名称を示している。また、それぞれの表示領域は、表示領域の下段に表示された検査室を特定する色で地色が色分けされた受診設備識別マーク９３ａ〜９３ｃとなっている。なお、患者が受ける検査の順番を明確にするために、それぞれの表示領域に、検査の順番を示す数字や次の検査を示す矢印等の記号等を表示しても良い。
【００２８】
患者は、リストバンド３０ａの受診設備表示部９２に表示されている第１検査情報９２ａ〜第３検査情報９２ｃの表示内容を見ることにより、自分がこれから受ける検査の種類と、その検査を受けるためにどの検査室へ移動すればよいか確認することができる。また、第１検査情報９２ａ〜第３検査情報９２ｃの表示領域は、受診設備識別マーク９３ａ〜９３ｃとなっているため、例えば、受診設備識別マーク９３ａ〜９３ｃの色と、病院の通路に貼られている各検査室へ誘導する誘導テープの色や各検査室の入り口周辺に設置されている室名札の色とを一致させることにより、患者や付添い人等（以下、患者関係者と称す）は迷わないで容易に目的とする検査室へ移動することができる。
【００２９】
このリストバンド３０ａは、手首または足首に取り付けて固定した状態で使用する。リストバンド３０ａの左端に設けられた２つの孔５０に止め具５５の突出ピン５６を貫通させた状態でリストバンド３０ａを手首又は足首の周りに巻き、リストバンド３０ａの右端に設けられた複数円形状の丸い孔５１中の２個を貫通させる。その後、止め具５５を折り曲げて、結合部５７ａと５７ｂとを結合することにより固定する。なお、受診設備表示部９２の内容を患者関係者が確認できるようにするために、止め具５５は透過可能な材質であることが好ましい。
【００３０】
（リストバンドの例示２）
図３に、本発明にかかるリストバンドのもう１つの例を示す。図３に示すリストバンド３０ｂの例は、初診の外来患者が診療前（診療室へ移動する前）に、病院の総合窓口担当者等から受け取るリストバンドの１つの例である。
【００３１】
リストバンド３０ｂに表示される領域は、図２に示したリストバンドの例と同様に、患者の個人医療情報が表示される医療情報表示部９１と、患者の受診設備情報が表示される受診設備表示部９２とに分かれている。
【００３２】
リストバンド３０ｂの医療情報表示部９１には、文字・記号情報として氏名、生年月日等の属性情報４１、患者識別番号４３等が表示されている。また、コード情報として、２次元コード４７及びバーコード４８の双方が表示されている。
【００３３】
リストバンド３０ｂの受診設備表示部９２には、患者の受診設備を示す診療情報９２ｄが表示され、この表示内容は、文字情報として、表示領域の上段に患者が受診する診療科の名称、表示領域の下段に患者の受診設備となる診療室の名称を示している。また、この表示領域は、当該診療室を特定する色で地色が色分けされた受診設備識別マーク９３ｄとなっている。
【００３４】
リストバンド３０ｂの受診設備表示部９２の効果については、リストバンド３０ａの受診設備表示部９２の効果と同様である。なお、リストバンド３０ｂを病院において利用する例について、詳細を後述する。
【００３５】
（リストバンドの作成手順）
以下に、リストバンドの作成手順の１つの例について説明する。
【００３６】
図４に本発明の一実施形態にかかるリストバンド３０の作成手順のフローチャートを示す。なお、図４に示すフローチャートの各ステップにおける動作は、リストバンド作成制御装置２０に備えるＣＰＵの制御により実行される。
【００３７】
リストバンド３０の作成処理が起動されると、まず、入力装置１１から、リストバンド３０を作成する対象となる患者が初診の患者であるか、あるいは再診の患者であるか等の患者種別の入力を受け付ける（Ｓ１０１）。
【００３８】
次に、患者のデータが、カルテ６０等のコード６１や受診受付表としての受診カード（患者が受診カードを所持している場合）の磁気データ等に記録されている（コード等が有る患者）か否かを判定する（Ｓ１０２）。なお、コード等が有る患者か否かの判定は、入力された患者種別により行う。
【００３９】
再診の患者や入院している患者のように、コード等が有る患者の場合（Ｓ１０２；Ｙｅｓ）、コード等から、リストバンド３０を作成するのに必要な患者の個人医療情報を取得する（Ｓ１０３）。
ここで、コード６１からの個人医療情報の取得は、コード読取装置によりコード６１を読み取ることによって行われる。また、受診カードの磁気データ等から個人医療情報を取得する場合は、カード読取装置（図示せず）により、受診カードの磁気データ等を読み取ることによって行う。
【００４０】
次に、コード等の読み取り結果にリストバンド作成の処理に必要な個人医療情報がすべて含まれているか否かを判定する（Ｓ１０４）。
コード等の読み取り結果にリストバンド作成の処理に必要な個人医療情報がすべて含まれている場合（Ｓ１０４；Ｙｅｓ）、個人医療情報から受診設備情報が取得可能か否かの判定処理（Ｓ１０７）へ進む。
コード等の読み取り結果では必要な個人医療情報が不足する場合（Ｓ１０４；Ｎｏ）、コード等の読み取り結果に含まれる患者識別番号（患者個人を特定する個人特定情報としての識別情報）に基づき、医療情報データベース１４にアクセスし、個人医療情報を取得し（Ｓ１０５）、個人医療情報から受診設備情報が取得可能か否かの判定処理（Ｓ１０７）へ進む。ここで、必要な個人医療情報が不足する場合の例として、読み取ったバーコードに患者識別番号は含まれるが患者の氏名が含まれていない等がある。
【００４１】
コード等が有る患者か否かの判定処理（Ｓ１０２）において、初診の患者等のように、個人医療情報を取得するコード等が無い場合には（Ｓ１０２；Ｎｏ）、入力装置１１から、必要な個人医療情報をマニュアル入力により受け付ける（Ｓ１０６）。さらに、受診カード等を忘れた患者のために、患者識別番号をマニュアル入力することにより、医療情報データベース１４から個人医療情報を取得するように構成することもできる。
【００４２】
次に、個人医療情報から受診設備情報が取得可能か否かの判定処理を行う（Ｓ１０７）。
取得した個人医療情報の一部から、患者の受診設備情報が求められる場合（Ｓ１０７；Ｙｅｓ）、この個人医療情報の一部から患者の受診設備情報を取得する（Ｓ１０８）。
ここで、受診設備情報の取得は、例えば、図５（ｂ）に示すような、診療科、担当医、診療室及び診療室の表示色を項目とした対応テーブルを設けておき、個人医療情報の一部である診療科及び担当医の情報を元に、この対応テーブルをサーチすることによって、患者の受診設備となる診療室の情報を求めることによって行う。これにより、受診設備情報をマニュアル入力する手間を軽減することができ、また、受診設備情報の入力ミス等によって患者に大きな負担を強いることになるトラブル等を、防止できる効果も期待できる。
なお、当該対応テーブルは、管理情報設定部２２により、新規設定及び受診設備に対応する色や模様を変更する等の設定変更が可能であり、設定内容は管理情報記憶部２６に保存される。管理情報設定部２２により、受診設備に対応する色や模様の設定を自由に変更できることにより、病院の診療科の種類や数等の実情に合わせて色や模様を設定できる。
【００４３】
個人医療情報から受診設備情報が取得可能か否かの判定処理（Ｓ１０７）において、取得した個人医療情報に患者の受診設備に関する情報が存在しない等のため、個人医療情報から、患者の受診設備情報が取得できない場合（Ｓ１０７；Ｎｏ）、入力装置１１から、必要な受診設備情報をマニュアル入力により受け付ける（Ｓ１０９）。
【００４４】
次に、取得した個人医療情報に基づいて、リストバンド３０の医療情報表示部９１に印刷される個人医療表示データを生成する（Ｓ１１０）。
【００４５】
次に、取得した受診設備情報に基づいて、リストバンド３０の受診設備表示部９２に印刷される受診設備表示データを生成する（Ｓ１１１）。生成される受診設備表示データは、受診設備に関する文字情報等や受診設備を色や模様により特定する受診設備識別マークとなるデータを含んでいる。受診設備識別マークに表示する色は、管理情報記憶部２６に保存された対応テーブルの受診設備に対応する色や模様に関する項目を参照する事によって行う。例えば、図５（ａ）は、図２におけるリストバンド３０ａを作成する際に参照した対応テーブルであり、図５（ｂ）は、図３におけるリストバンド３０ｂを作成する際に参照した対応テーブルである。
【００４６】
次に、生成された、個人医療表示データ及び受診設備表示データに基づいて、印刷データを生成し印刷装置１５によりリストバンド３０に印刷する（Ｓ１１２）。
なお、リストバンド３０の素材として、フェルトや不織布等のように表面に凸凹を有するものを使用する場合には、印刷装置１５として、インクジェット等のインク吐出型のプリンタを使用することが望ましい。また、院内感染防止等の観点から、リストバンド３０に印刷後に、印刷装置１５により抗菌剤を塗布するように構成することも可能である。
【００４７】
（リストバンド利用の例示）
図６を用いて、病院において、リストバンドを利用する例について説明する。図６は、病院における各診療室等の配置を簡略化した図であり、外科室２０１ａ、内科室２０１ｂ及び小児科室２０１ｃの３つの診療室ならびに総合受付２００が配置されている。また、通路２１０には、患者関係者を各診療室へ誘導する誘導媒体として、外科室２０１ａへの誘導テープ２１１ａ（黄色）、内科室２０１ｂへの誘導テープ２１１ｂ（橙色）及び小児科室２０１ｃへの誘導テープ２１１ｃ（赤色）が貼られている。さらに、各診療室を識別する場所識別媒体として、外科室２０１ａには外科室名札２２１ａ（黄色）、内科室２０１ｂには内科室名札２２１ｂ（橙色）及び小児科室２０１ｃには小児科室名札２２１ｃ（赤色）が、各診療室の入口周辺に設置されている。
【００４８】
ここでは、図６に示された病院において、初診の外来患者が内科の診療を受診する例について説明する。患者は、最初に総合受付２００において初診の診療の受け付けを行い、総合受付の担当者から図３に例示されているリストバンド３０ｂを受け取る。リストバンド３０ｂの医療情報表示部９１には患者の氏名や患者識別番号等が表示され、受診設備表示部９２には受診設備となる診療科「内科」の文字及び診療室「内科室」の文字が、受診設備識別マークとなる橙色の地色の上に表示されている。
【００４９】
リストバンド３０ｂを受け取った患者は、リストバンド３０ｂの橙色の受診設備識別マークと色が一致する橙色の誘導テープ２１１ｂに従って進むことにより、内科室２０１ｂへと誘導される。また、内科室２０１ｂに到着したら、内科室名札２２１ｂに表示されている色が、リストバンド３０ｂの受診設備識別マークに表示されている橙色であるか否かを確認することにより、これから受診する診療室であるか否かを検証できる。
なお、上述した例では、誘導媒体として誘導テープ及び場所識別媒体として室名札を用いたが、例えば、誘導媒体として誘導マークを用いたり、場所識別媒体として色分けされたドアを用いたり等、受診設備へ誘導できる媒体や場所を識別できる媒体であれば何を用いても良い。
【００５０】
なお、本発明の医療情報取得工程は、図４のフローチャートのＳ１０２〜Ｓ１０６に相当する。個人医療表示データを生成する工程は、図４のフローチャートのＳ１１０に相当する。受診設備情報取得工程は、図４のフローチャートのＳ１０７〜Ｓ１０９に相当する。受診設備表示データを生成する工程は、図４のフローチャートのＳ１１１に相当する。印刷する工程は、図４のフローチャートのＳ１１２に相当する。
【００５１】
（第２の実施形態）
（リストバンド作成装置）
図面を用いて本発明の第２の実施形態にかかるリストバンド作成装置を説明する。図７に、第２の実施形態にかかるリストバンド作成装置の機能ブロック図を示す。第１の実施形態とは、ＩＣタグ書込装置１６及びリストバンド作成制御装置２０にＩＣデータ生成部２８を備えている点が異なる。また、作成するリストバンド３１は、非接触で通信が行えるＩＣタグ３１０を備えている点が、第１の実施形態におけるリストバンド３０と異なる。
【００５２】
ＩＣデータ生成部２８は、医療情報取得部２３において取得された個人医療情報及び受診設備情報取得部２４において取得された受診設備情報に基づいて、リストバンド３１に備えられたＩＣタグ３１０に記憶させる所定のデータを生成する。ＩＣタグ書込装置１６は、ＩＣタグ３１０に、ＩＣデータ生成部２８において生成されたデータを記憶させる。なお、ここでは、ＩＣタグ書込装置１６を単独の装置としたが、印刷装置１５にＩＣタグ書込装置１６の機能を備えて、印刷装置１５によりＩＣタグ３１０にデータを記憶させることも可能である。
【００５３】
（リストバンド案内システム）
次に、図面を用いて第２の実施形態にかかるリストバンドを用いたリストバンド案内システムを説明する。図８に、リストバンド３１を用いたリストバンド案内システム３００の機能ブロック図を示す。リストバンド案内システム３００は、ＩＣタグ３１０を備えたリストバンド３１、案内装置３２０及び場所識別装置３３０で構成される。
【００５４】
リストバンド３１に備えられたＩＣタグ３１０は、制御部３１１、送受信部３１２及び記憶部３１３を備えている。
ＩＣタグ３１０の制御部３１１は、送受信部３１２及び記憶部３１３の制御を行い、送受信部３１２を介して送受信されるデータのエンコード・デコード等を行う。
ＩＣタグ３１０の送受信部３１２は、記憶部３１３に記憶させるデータをＩＣタグ書込装置１６から受信したり、記憶部３１３に記憶されているデータの中から、受診設備情報に基づいたデータ（以下、受診設備データと称す）を案内装置３２０や場所識別装置３３０に送信する。また、送受信部３１２を介してＩＣタグ３１０に電力が供給されるため、ＩＣタグ３１０に電池等は必要としない。
ＩＣタグ３１０の記憶部３１３には、ＩＣタグ書込装置１６から送受信部３１２を介して受信した個人医療情報に基づいたデータ及び受診設備データが記憶される。
【００５５】
案内装置３２０は、診療室や検査室等の受診設備へ案内する装置であり、例えば、病院内の総合窓口の周辺や通路の分岐点の壁等に設置される。案内装置３２０は、制御部３２１、送受信部３２２、案内データ生成部３２３及び報知部３２４を備えている。
案内装置３２０の制御部３２１は、送受信部３２２、案内データ生成部３２３及び報知部３２４の制御を行い、送受信部３２２を介して送受信されるデータのエンコード・デコード等を行う。
案内装置３２０の送受信部３２２は、ＩＣタグ３１０からデータを受信する。
案内装置３２０の案内データ生成部３２３は、ＩＣタグ３１０から送受信部３２２を介して受信した受診設備データに基づいて、患者関係者に対して受診設備へ案内する案内データを生成する。
案内装置３２０の報知部３２４は、案内データ生成部３２３において生成された案内データに基づいて、ディスプレイに案内情報を表示する等の報知処理を行う。ここで、ディスプレイに表示される案内情報は、例えば、病院内の各診療室等の配置が示された案内図に、現地点から受診する診療室等への経路が、リストバンド３１の受診設備識別マークと同色の線で明示されるような表示内容等があげられる。
【００５６】
場所識別装置３３０は、患者関係者が到着した診療室や検査室等が、患者の目的とする診療室や検査室等であるか否かのチェックをする装置であり、例えば、診療室や検査室等の入口周辺に設置される。場所識別装置３３０は、制御部３３１、送受信部３３２、判断データ生成部３３３及び報知部３３４を備えている。
場所識別装置３３０の制御部３３１は、送受信部３３２、判断データ生成部３３３及び報知部３３４の制御を行い、送受信部３３２を介して送受信されるデータのエンコード・デコード等を行う。
場所識別装置３３０の送受信部３３２は、ＩＣタグ３１０からデータを受信する。
場所識別装置３３０の判断データ生成部３３３は、ＩＣタグ３１０から送受信部３３２を介して受信した受診設備データに基づいて、患者関係者に対して患者の目的とする診療室や検査室等であるか否かを示す判断データを生成する。
場所識別装置３３０の報知部３３４は、判断データ生成部３３３において生成された判断データに基づいて、例えばディスプレイ等に、患者の目的とする設備であるか否かの判断情報を表示する等の報知処理を行う。ここで、ディスプレイ等に表示される判断情報は、当該設備の正誤を知らせるメッセージ等でも良い。また、スピーカー等を用いて、音声により正誤を知らせても良い。
【００５７】
（リストバンド案内システム利用の例示）
図９を用いて、病院において、第２の実施形態にかかるリストバンド案内システムを利用する例について説明する。図９は、病院における各診療室の配置を簡略化した図であり、図６とは、案内装置３２０が設置されている点と、各診療室に場所識別装置３３０ａ〜３３０ｃが設置されている点とが異なる。ここでは、案内装置３２０は、総合受付２００の隣及び通路２１０の主要な分岐点となる壁の合計４箇所に設置されている。場所識別装置３３０ａ〜３３０ｃは、各診療室の入口周辺に設置されている。
【００５８】
ここでは、図９に示された病院において、初診の外来患者が内科の診療を受診する例について説明する。患者は、最初に総合受付２００において初診の診療の受け付けを行い、総合受付の担当者からリストバンド３１を受け取る。リストバンド３１は、図３に例示されているリストバンド３０ｂにＩＣタグ３１０を備えたリストバンドであり、患者の個人医療情報に基づいたデータ及び受診設備データが記憶されている。
【００５９】
リストバンド３１を受け取った患者は、受診設備となる内科室２０１ｂへの案内情報を表示させるために、総合受付の隣に設置されている案内装置３２０の送受信部３２２にリストバンド３１を近づける。送受信部３２２は、リストバンド３１のＩＣタグ３１０に記憶されている受診設備データを受信する。そして、受診した受診設備データに基づいて、案内データ生成部３２３において受診設備へ案内する案内データを生成し、報知部３２４としてのディスプレイ等に表示する。
【００６０】
患者は、ディスプレイ等に表示された案内情報を見て内科室２０１ｂへの経路を把握することができる。また、通路２１０の主要な分岐点には案内装置３２０が設置されており、患者は必要に応じて、他の地点でも案内情報を確認することができ、迷うことなく目的とする受診設備へ移動することができる。
【００６１】
次に、患者が内科室２０１ｂに到着した場合、患者は自分が受診する診療室であるか否かを検証するために、診療室の入口周辺に設置されている場所識別装置３３０ｂにリストバンド３１を近づける。場所識別装置３３０ｂの送受信部３３２は、リストバンド３１のＩＣタグ３１０に記憶されている受診設備データを受信し、判断データ生成部３３３において、受信した受診設備データが診療室の情報と一致するか否かを判定して判定結果となる判断データを生成し、報知部３３４としてのディスプレイ等に判断データに基づいて判断情報を表示する。
【００６２】
患者は、ディスプレイ等に表示された判断情報を見て、自分がこれから受診する内科室２０１ｂであるか否かを把握することができるので、誤って別の診療室等へ入室してしまう等のトラブルを防止できる効果がある。
【００６３】
（第３の実施形態）
（リストバンドの例示）
図面を用いて本発明の第３の実施形態にかかるリストバンドを説明する。図１０に、第３の実施形態にかかるリストバンド５０１の例を示す。リストバンド５０１は、第２の実施形態におけるリストバンド３１とは、患者を受診設備へ案内する案内情報や目的とする設備であるか否かの判断情報を表示する表示部である報知部５１３としてのディスプレイが備えられている点が異なる。なお、医療情報表示部９１の表示内容も異なっている。
なお、第３の実施形態にかかるリストバンドの作成装置は、第２の実施形態にかかるリストバンドの作成装置と同様である。
【００６４】
（リストバンド案内システム）
次に、図面を用いて第３の実施形態にかかるリストバンドを用いたリストバンド案内システムを説明する。図１１に、リストバンド５０１を用いたリストバンド案内システム５００の機能ブロック図を示す。リストバンド案内システム５００は、ＩＣタグ５１０及び報知部５１３を備えたリストバンド５０１、案内装置５２０及び場所識別装置５３０で構成される。なお、案内装置５２０及び場所識別装置５３０の設置場所は、第２の実施形態における案内装置３２０及び場所識別装置３３０と同様で良い。
【００６５】
リストバンド５０１に備えたＩＣタグ５１０は、制御部５１１、送受信部５１２及び記憶部５１４を備えている。
ＩＣタグ５１０の制御部５１１は、送受信部５１２、記憶部５１４及び報知部５１３の制御を行い、送受信部５１２を介して送受信されるデータのエンコード・デコード等を行う。
ＩＣタグ５１０の送受信部５１２は、記憶部５１４に記憶させるデータをＩＣタグ書込装置１６から受信したり、記憶部５１４に記憶されているデータの中から、受診設備データを案内装置５２０や場所識別装置５３０に送信する。また、案内装置５２０から患者関係者に対して受診設備へ案内する案内データを受信したり、場所識別装置５３０から患者関係者に対して患者の受診設備となる診療室や検査室等であるか否かを示す判断データを受信したりする。
ＩＣタグ５１０の記憶部５１４には、ＩＣタグ書込装置１６から送受信部５１２を介して受信した個人医療情報に基づいたデータ及び受診設備データが記憶される。
【００６６】
リストバンド５０１に備えた報知部５１３は、送受信部５１２を介して受信した案内データや判断データに基づいて、案内情報や判断情報を表示する。ここで、報知部５１３に表示される案内情報や判断情報は、第２の実施形態にかかる案内装置３２０や場所識別装置３３０と同様な表示内容でも良いが、報知部５１３の表示領域の制約により、簡略化した表示内容を表示することが好ましい。
【００６７】
案内装置５２０は、制御部５２１、送受信部５２２及び案内データ生成部５２３を備えている。
案内装置５２０の制御部５２１は、送受信部５２２及び案内データ生成部５２３の制御を行い、送受信部５２２を介して送受信されるデータのエンコード・デコード等を行う。
案内装置５２０の案内データ生成部５２３は、ＩＣタグ５１０から送受信部５２２を介して受信した受診設備データに基づいて、患者関係者に対して受診設備へ案内する案内データを生成する。
案内装置５２０の送受信部５２２は、ＩＣタグ５１０からデータを受信する。また、案内データ生成部５２３において生成された案内データを、ＩＣタグ５１０の送受信部５１２に送信する。
【００６８】
場所識別装置５３０は、制御部５３１、送受信部５３２及び判断データ生成部５３３を備えている。
場所識別装置５３０の制御部５３１は、送受信部５３２及び判断データ生成部５３３の制御を行い、送受信部５３２を介して送受信されるデータのエンコード・デコード等を行う。
場所識別装置５３０の判断データ生成部５３３は、ＩＣタグ５１０から送受信部５３２を介して受信した受診設備データに基づいて、患者関係者に対して患者が受診する診療室や検査室等であるか否かを示す判断データを生成する。
場所識別装置５３０の送受信部５３２は、ＩＣタグ５１０からデータを受信する。また、判断データ生成部５３３において生成された判断データを、リストバンド５０１に備えたＩＣタグ５１０の送受信部５１２に送信する。
【００６９】
第３の実施形態にかかるリストバンド案内システムを利用する方法は、第２の実施形態におけるリストバンド案内システムと同様であるが、第２の実施形態において案内装置３２０及び場所識別装置３３０に表示していた案内情報及び判断情報を、第３の実施形態においては、リストバンド５０１に備えた報知部５１３としてのディスプレイに表示する点が異なる。
【００７０】
リストバンド５０１に備えたディスプレイに表示することにより、患者関係者は案内情報や判断情報を自分の手もとで確認することができる。これにより、他の人に、どこの診療室や検査室へ行くのか等を知られることなく、自分だけで案内情報や判断情報を確認することができるのでプライバシー保護の面からの効果が期待できる。
ＩＣタグ５１０には他人に知られたくない情報（特に個人医療情報）も入っているため、案内装置３２０もしくは場所識別装置３３０又は表示装置１３にスイッチ等を設けておき、表示の際、内容を確認した後すぐに消すことができることが好ましい。
【００７１】
なお、本発明は、上述した実施形態に限定されず、種々の変更や改良を加えることが可能である。変形例を以下に述べる。
【００７２】
（変形例１）前記実施形態において、病院内の診療室や検査室等の受診設備へ、患者関係者を的確に案内する用途に使用されるリストバンドの例を示した。しかし、病院における用途に限らず、本発明におけるリストバンドを他の場所において適用しても良い。例えば、工場内において、作業員が製品の種類を色や模様で特定したリストバンドを手首に取り付けて、その製品の製造工程となる作業場所（作業場所への経路が、製品の種類を特定する色や模様で明示されている）を把握する用途等に用いても良い。さらに役所などの公的機関で目的の手続きをするための部署を訪れようとした場合、受付で目的部署を案内する前述のリストバンドを受け取って取付け、迷わずに到着する用途に用いても良い。
【００７３】
（変形例２）前記実施形態において、リストバンドの受診設備表示部９２に、受診設備を特定する色で色分けした受診設備識別マークを表示する例を示した。しかし、これに限らず、受診設備表示部９２に、色及び模様の組合せによって受診設備を特定する受診設備識別マークを表示して使用しても良い。例えば、第１の実施形態のリストバンド利用の例示において、リストバンド３０ｂの受診設備識別マーク９３ｄ（橙色）に対して、図６に示されている、通路２１０に貼られた誘導テープ２１１ｂ（橙色）の破線を示す模様を加えても良い。受診設備を色及び模様の組合せからなる受診設備識別マークで表示することにより、多くの診療室や検査室を有する規模の大きい病院であっても、色及び模様の組合せにより、受診設備となる多くの診療室や検査室を特定することができる。また、例えば、診療科を色で特定し、診療科に属する各診療室を模様で特定したり、病院の各階を色で特定し、各階の各部屋を模様で特定したりする等、病院において使い易いように受診設備を分類することが可能になる。
【００７４】
（変形例３）前記第２及び第３の実施形態において、患者関係者に対して、診療室や検査室等の受診設備へ案内する案内情報及び目的の診療室や検査室等か否かを判定した判断情報を報知している。しかし、これに加えて、患者関係者に対して、患者が受診や検査を受ける診療室や検査室等において、患者が何番目に受診や検査を受ける患者であるかの情報やその時間、患者に対してのメッセージ等を報知しても良い。患者関係者に対して、自分が何番目に受診や検査を受ける患者であるかやその時間を報知することにより、患者は自分の診療や検査が始まるまでの待ち時間はどの程度かを把握できる。また、患者に対してメッセージ等を報知することにより、患者は自分に必要な、より詳細な情報を得ることができる。
【００７５】
（変形例４）前記第２及び第３の実施形態において、場所識別装置を利用することにより、患者関係者に対して、目的の診療室や検査室等であるか否かを判定した判断情報を報知している。しかし、これに限らず、場所識別装置を、関係者以外が入室することのないようにするために、例えば、診療室や検査室等の診療や検査を受ける患者（リストバンドを所持している）のみドアが開くようにして、入室可・不可をチェックする等の入室管理を目的とした用途に使用しても良い。
【図面の簡単な説明】
【００７６】
【図１】本発明にかかるリストバンド作成装置の一実施形態にかかる機能ブロック図。
【図２】本発明にかかるリストバンドの１つの例。
【図３】本発明にかかるリストバンドのもう１つの例。
【図４】本発明の一実施形態にかかるリストバンドの作成手順のフローチャート。
【図５】リストバンドを作成する際に参照した対応テーブルの例。
【図６】病院における各診療室等の配置を簡略化した図。
【図７】第２の実施形態にかかるリストバンド作成装置の機能ブロック図。
【図８】第２の実施形態にかかるリストバンドを用いたリストバンド案内システムの機能ブロック図。
【図９】第２の実施形態における病院における各診療室の配置を簡略化した図。
【図１０】第３の実施形態にかかるリストバンドの例。
【図１１】第３の実施形態にかかるリストバンドを用いたリストバンド案内システムの機能ブロック図。
【符号の説明】
【００７７】
１０…リストバンド作成装置、１１…入力装置、１２…コード読取制御装置、１３…表示装置、１４…医療情報データベース、１５…印刷装置、１６…ＩＣタグ書込装置、２０…リストバンド作成制御装置、２１…データ制御部、２２…管理情報設定部、２３…医療情報取得部、２４…受診設備情報取得部、２５…通信制御部、２６…管理情報記憶部、２７…印刷データ生成部、２８…ＩＣデータ生成部、３０…リストバンド、３０ａ…リストバンド、３０ｂ…リストバンド、３１…リストバンド、４１…属性情報、４２…ＡＢＯ血液型、４３…患者識別番号、４４…カラー表示情報、４５…Ｒｈ式血液型、４７…２次元コード、４８…１次元コードとしてのバーコード、６０…カルテ等、６１…コード、９１…医療情報表示部、９２…受診設備表示部、９２ａ…第１検査情報、９２ｂ…第２検査情報、９２ｃ…第３検査情報、９２ｄ…診療情報、９３ａ〜９３ｄ…受診設備識別マーク、２００…総合受付、２０１ａ…外科室、２０１ｂ…内科室、２０１ｃ…小児科室、２１０…通路、２１１ａ〜２１１ｃ…誘導媒体としての誘導テープ、２２１ａ…場所識別媒体としての外科室名札、２２１ｂ…場所識別媒体としての内科室名札、２２１ｃ…場所識別媒体としての小児科室名札、３００…リストバンド案内システム、３１０…ＩＣタグ、３１１…ＩＣタグの制御部、３１２…ＩＣタグの送受信部、３１３…ＩＣタグの記憶部、３２０…案内装置、３２１…案内装置の制御部、３２２…案内装置の送受信部、３２３…案内装置の案内データ生成部、３２４…案内装置の報知部、３３０…場所識別装置、３３０ａ〜３３０ｃ…場所識別装置、３３１…場所識別装置の制御部、３３２…場所識別装置の送受信部、３３３…場所識別装置の判断データ生成部、３３４…場所識別装置の報知部、５００…リストバンド案内システム、５０１…リストバンド、５１０…ＩＣタグ、５１１…ＩＣタグの制御部、５１２…ＩＣタグの送受信部、５１３…リストバンドの報知部、５１４…ＩＣタグの記憶部、５２０…案内装置、５２１…案内装置の制御部、５２２…案内装置の送受信部、５２３…案内装置の案内データ生成部、５３０…場所識別装置、５３１…場所識別装置の制御部、５３２…場所識別装置の送受信部、５３３…場所識別装置の判断データ生成部。
【図１】
2007056406.tif 000003
【図２】
2007056406.tif 000004
【図３】
2007056406.tif 000005
【図４】
2007056406.tif 000006
【図５】
2007056406.tif 000007
【図６】
2007056406.tif 000008
【図７】
2007056406.tif 000009
【図８】
2007056406.tif 000010
【図９】
2007056406.tif 000011
【図１０】
2007056406.tif 000012
【図１１】
2007056406.tif 000013